(57)【要約】【課題】  低コストで、作業性よく床暖房補助パネルを敷設するための床暖房補助パネルピースを提供する。【解決手段】  床暖房主パネルの周辺部に複数連結して敷設される床暖房補助パネルピースであって、基板の一方の面に刻設された溝に、外部配管と連結するためのジョイントを少なくとも一端に有する配管であるジョイント接続管が埋設されていることを特徴とする、ジョイント付き床暖房補助パネルピースとする。【選択図】      図１１
2006207915.tif 000002
【特許請求の範囲】
【請求項１】
床暖房主パネルの周辺部に複数連結して敷設される床暖房補助パネルピースであって、基板の一方の面に刻設された溝に、外部配管と連結するためのジョイントを少なくとも一端に有する配管であるジョイント接続管が埋設されていることを特徴とする、ジョイント付き床暖房補助パネルピース。
【請求項２】
前記ジョイント接続管が、前記配管の両末端に前記ジョイントを有しているものであることを特徴とする請求項１に記載のジョイント付き床暖房補助パネルピース。
【請求項３】
前記配管の一端のみに前記ジョイントを有し、前記配管の前記ジョイントを有さない他端は、前記基板の面外に突出していることを特徴とする請求項１に記載のジョイント付き床暖房補助パネルピース。
【請求項４】
前記ジョイント接続管の配管が、前記床暖房補助パネルピースの一辺に平行な直線状に、または、Ｕ字型の直線部分を前記床暖房補助パネルピースの一辺に平行としたＵ字状に埋設されていることを特徴とする請求項１〜３のいずれか１項に記載のジョイント付き床暖房補助パネルピース。
【請求項５】
床表面材層および下地面へ固定するための固定用部材を有することを特徴とする請求項１〜４のいずれか１項に記載のジョイント付き床暖房補助パネルピース。
【請求項６】
基板の一方の面に刻設された溝に、配管が、請求項２に記載のジョイントと連結するように、両端が前記基板の面外に突出した状態で埋設されていることを特徴とするジョイントなし床暖房補助パネルピースと、請求項２に記載のジョイント付き床暖房補助パネルピースとを組み合わされてなる床暖房補助パネルピースセット。
【請求項７】
請求項６に記載の床暖房補助パネルピースセットに、更に、請求項３に記載のジョイント付き床暖房補助パネルピースが組み合わされてなる床暖房補助パネルピースセット。
【請求項８】
前記ジョイントなし床暖房補助パネルピースの前記配管が、前記床暖房補助パネルピースの一辺に平行な直線状、または、Ｕ字型の直線部分を前記床暖房補助パネルピースの一辺に平行としたＵ字状に埋設されていることを特徴とする請求項６または７に記載の床暖房補助パネルピースセット。
【請求項９】
前記ジョイントなし床暖房補助パネルピースが、床表面材層および下地面へ固定するための固定用部材を有することを特徴とする請求項６〜８のいずれか１項に記載の床暖房補助パネルピースセット。
【発明の詳細な説明】
【技術分野】
【０００１】
本発明は、居室内の狭いスペース、あるいは床暖房主パネルの周辺部に敷設する、床暖房補助パネルを形成するための床暖房補助パネルピースに関する。
【背景技術】
【０００２】
一般住宅、集合住宅、ホテル、病院、高齢者養護施設などの建造物において、居住性を高める目的で、床面から暖房する床暖房設備が一般的になりつつある。かかる床暖房設備は、例えば、マンションなどのスラブ床面やスラブ床面に敷いた下地合板、または、一戸建て住宅の居室の床に敷いた下地合板等の下地面の上に、刻設された溝に熱媒を通す配管を埋設した床暖房パネルを設け、その上側に順に金属箔等の放熱薄板、表装材層を配置したものが基本的な構造である。
【０００３】
床暖房パネルの基板の形状は、通常は長方形または正方形であり、床暖房設備を設置する床の所望の場所に敷設される。しかし、敷設したい床部分の形状や大きさと、市販されている床暖房パネルの形状や大きさとが必ずしも一致しない場合がある。また、図１のようなＬ字型の床面１０や、台形等の複雑な形状の床に敷設する場合、長方形状の床暖房パネルでは、全体の床面積に対する床暖房パネル１０の敷設面積が小さくなってしまい、床暖房パネル１０が敷設された部分の床と、床暖房パネル１０が敷設された部分以外の床３０、４０との温度差が大きくなってしまう。このような場合に、敷設面積を広げるために床暖房パネル１０を所望の形状にしようとすると、規格外の床暖房パネルを別途製造する必要があるためコストがかかり、また施工に時間がかかってしまうという問題があった。
【０００４】
この問題に関し、特許文献１には、床暖房主パネルの周辺部に床暖房副パネルを設置することで、居室内の床面温度のバリアフリー化を実現する床暖房設備が開示されている。
【特許文献１】特開２００３−３４３８６２号公報
【発明の開示】
【発明が解決しようとする課題】
【０００５】
しかしながら、特許文献１の床暖房設備においても、床暖房副パネルを敷設する部分の形状、長さにあわせてパネルの基板や配管を設計、製造しなければならず、床暖房パネル全体を設計、製造しなおすほどではないものの、コストや施工時間がかかってしまうという問題は依然残ったままであった。更に、配管用の溝を刻設した床暖房副パネル基板を床に敷設した後、現場で副パネルの配管全体を溝部分に組み込まなければならず、作業が大掛かりになってしまい、作業性も悪かった。
【０００６】
そこで、本発明は、低コストで、作業性よく床暖房補助パネルを敷設するための床暖房補助パネルピースを提供することを目的とする。
【課題を解決するための手段】
【０００７】
以下、本発明について説明する。なお、本発明の理解を容易にするために添付図面の参照符号を括弧書きにて付記するが、それにより本発明が図示の形態に限定されるものでは無い。
【０００８】
本発明の第一の態様は、床暖房主パネル（１１）の周辺部に複数連結して敷設される床暖房補助パネルピースであって、基板（１）の一方の面に刻設された溝（２）に、外部配管と連結するためのジョイント（３）を少なくとも一端に有する配管（４）であるジョイント接続管が埋設されていることを特徴とする、ジョイント付き床暖房補助パネルピース（１２ａ、１２ｂ、１２ｃ、１２ｄ、１２ｅ、１２ｆ、１２ｇ）を提供して前記課題を解決する。
【０００９】
この態様において、前記ジョイント接続管が、前記配管（４）の両末端に前記ジョイント（３）を有しているものであることが好ましく、また、前記配管（４）の一端のみに前記ジョイント（３）を有し、前記配管（４）の前記ジョイント（３）を有さない他端（４ａ）は、前記基板（１）面外に突出しているものであることも好ましい。
【００１０】
更に、これらの態様において、前記ジョイント接続管の配管（４）が、前記床暖房補助パネルピース（１２ａ、１２ｃ、１２ｅ）の一辺に平行な直線状に、または、Ｕ字型の直線部分を前記床暖房補助パネルピース（１２ｂ、１２ｄ、１２ｆ、１２ｇ）の一辺に平行としたＵ字状に埋設されていることが好ましい。
【００１１】
これらの発明によれば、床暖房補助パネルピースを組み合わせて配置することにより、低コストで、作業性よく床暖房補助パネル（２０ａ）を敷設することができる。
【００１２】
また、これら上記態様において、前記床暖房補助パネルピース（１２ｇ）は、床表面材層および下地面へ固定するための固定用部材（６）を有することが好ましい。このようにすることによって、床暖房補助パネル（２０ｃ）を床表面材層や下地面に容易に固定することができる。
【００１３】
本発明の第二の態様は、基板（１）の一方の面に刻設された溝（２）に、配管（４）が、請求項２に記載のジョイント（３）と連結するように、両端（４ａ、４ｂ）が基板（１）の面外に突出した状態で埋設されていることを特徴とするジョイントなし床暖房補助パネルピース（１２ｈ、１２ｉ）と、請求項２に記載のジョイント付き床暖房補助パネルピース（１２ａ、１２ｂ、１２ｆ）とを組み合わされてなる床暖房補助パネルピースセットを提供して前記課題を解決する。
【００１４】
前記第二の態様は、更に、請求項３に記載のジョイント付き床暖房補助パネルピース（１２ｃ、１２ｄ、１２ｅ、１２ｇ）が組み合わされてなるものであることが好ましく、前記ジョイントなし床暖房補助パネルピース（１２ｈ、１２ｉ）の前記配管（４）が、前記床暖房補助パネルピース（１２ｈ）の一辺に平行な直線状、または、Ｕ字型の直線部分を前記床暖房補助パネルピース（１２ｉ）の一辺に平行としたＵ字状に埋設されていることも好ましい。
【００１５】
これら第二の態様の発明によれば、低コストで、作業性よく床暖房補助パネル（２０ａ）を敷設するための床暖房補助パネルピースセットを提供することができる。
【発明の効果】
【００１６】
本発明の床暖房補助パネルピースは、複数組み合わせて敷設することで、全体として大きな床暖房補助パネルを構成するものであるから、その組み合わせによって、様々な形状や大きさの床に床暖房補助パネルを敷設することが可能である。したがって、正方形や長方形である市販の規格サイズの床暖房パネルでは覆うことができなかったような、複雑な形状の床面や非常に狭い床面にも、床暖房パネルを敷設することが可能になる。また、そのような床面に対して、個々の床面のサイズや形状に合わせた床暖房パネルを別途製造する必要がないので、短期間かつ低コストに床暖房設備を敷設することができる。
【００１７】
更に、個々の床暖房補助パネルピ−スには配管が既に埋設されており、床暖房補助パネルピースの配管同士はジョイントで簡易に連結可能な構成のため、床暖房補助パネル基板を設置現場に敷設した後に、現場で長くて複雑な形状の配管を埋設するような大掛かりな作業が不要であり、この点においても短期間で作業性よく床暖房パネルを敷設することができる。
【００１８】
本発明のこのような作用および利得は、次に説明する発明を実施するための最良の形態から明らかにされる。
【発明を実施するための最良の形態】
【００１９】
本発明の床暖房補助パネルピースは、複数連結されることにより、全体として一つの床暖房補助パネルを形成するものである。床暖房補助パネルは、市販の床暖房パネルが敷設できないような狭い床面や、床面に一番大きな面積で敷設される床暖房パネルを床暖房主パネルとした場合にその周囲に敷設される、床暖房パネルである。床暖房主パネルとともに床暖房補助パネルが敷設される場合、床暖房主パネルの敷設面積に対する床暖房補助パネルの敷設面積の割合は、床暖房パネルを敷設する居室の形状にもよるが、通常１〜４０％、中でも５〜３０％の範囲である。
【００２０】
以下本発明を図面に示す実施形態に基づき説明する。図２〜図８は、本発明の床暖房補助パネルピースの例を示す平面図である。床暖房補助パネルピース１２ａ〜１２ｇの基板１の表面には、配管４を埋設するための溝２が刻設されており、その中に、ジョイント３を有する配管４であるジョイント接続管が埋設されている。
【００２１】
図２の床暖房補助パネルピース１２ａにおいては、配管４を埋設するための溝２は、基板１の一辺と平行な直線状に二本、表面を面方向左右に貫通して刻設されている。各配管４は両端にジョイント３を有しており、ジョイント３を有する配管４の端部は、長さＸだけ、基板の長手方向端部から中心部側に寄せて配置されている。床暖房補助パネルピース１２ａの長手方向中央には、基板１の一辺に平行して刻設されたスリット５が設けられ、必要に応じて床暖房補助パネルピース１２ａをスリット５部で分割できるようにされている。スリット５はなくてもよいが、スリット５を設けると、形成したい床暖房補助パネルの形状に応じて、現場で容易に床暖房補助パネルピース１２ａを分割することができる点で好ましい。
【００２２】
図３の床暖房補助パネルピース１２ｂにおいては、配管４を埋設するための溝２は、直線部分が基板１の一辺と平行になるように刻まれた、Ｕ字型の形状をしている。そして、溝２に埋設された配管４の両端はジョイント３を有し、この態様においても、ジョイント３を有する配管４の端部は、長さＸだけ、基板の長手方向端部から中心部側に寄せて配置されている。
【００２３】
図４の床暖房補助パネルピース１２ｃにおいては、図２と同様、基板１上には、二本の溝２が、基板１の一辺と平行な直線状に、表面を面内方向左右に貫通して刻設されている。そして、やはり長手方向中央には、必要に応じて床暖房補助パネルピース１２ｃを分割するためのスリット５が設けられている。しかし、そこに埋設されている二本の配管４は、各一端のみにジョイント３を有しており、各配管４の他端４ａは、長さＹだけ、基板１の面外に突出している。
【００２４】
図５の床暖房補助パネルピース１２ｄにおいては、溝２の形状は、図３の床暖房補助パネルピースと同様、直線部分が基板１の一辺と平行になるように刻まれたＵ字型である。しかし、配管４は、図４の床暖房補助パネルピース１２ｃと同じく、配管４の一端のみにジョイント３を有しており、配管４の他端４ａは、長さＹだけ、基板１面外に突出している。
【００２５】
図２や図４の床暖房補助パネルピース１２ａ、１２ｃにおいては、配管４は二本埋設されているが、場合によっては、配管４を一本のみ埋設したり、あるいは、図６の床暖房補助パネルピース１２ｅのように、二本より多い本数を平行に埋設したりしてもよい。同様に、図３の床暖房補助パネルピース１２ｂにあるようなＵ字状の配管４を、図７の床暖房補助パネルピース１２ｆのように二本以上埋設することもできる。
【００２６】
本発明の床暖房補助パネルピースは、図８の１２ｇのように、後述する床表面材層および下地面へ固定するための、固定用部材６を有するようにすることもできる。固定用部材６とは、床暖房補助パネルピース１２ｇと一体に設けた柱状体ものであり、施工性の面から小根太が好ましい。
【００２７】
固定用部材６の断面形状は長方形であり、厚みは、床暖房補助パネルピース１２ｇより薄くすることもできるが、釘等で床暖房補助パネルピース１２ｇを下地面へ固定する際、発泡合成樹脂製等の床暖房補助パネルピース１２ｇの破損を防止するために、床暖房補助パネルピース１２ｇと同じ厚さにすることが好ましい。
【００２８】
以上図２〜図８に例示して説明したこれら本発明の床暖房補助パネルピース１２ａ〜１２ｇは、一つの床暖房補助パネルピースのジョイント３部分で、他の床暖房補助パネルピースの基板１面外に突出した配管端部４ａを連結することにより、床暖房補助パネルピース同士が繋げられる。ジョイント３は、図９、図１０に示される床暖房補助パネルピース１２ｈ、１２ｉのような、溝２に埋設された配管４両端が基板１面外に長さＹだけ突出した、ジョイント３を有しない床暖房補助パネルピースの配管端部４ａ、４ｂと繋ぐこともできる。
【００２９】
本発明においては、図２〜図１０に例示されるような床暖房補助パネルピース１２ａ〜１２ｉ一種以上からなる複数の床暖房補助パネルピースを、一組の床暖房補助パネルピースセットとして、それを組み合わせて配管４同士を連結しながら床面に敷設していくことにより、床暖房主パネルの周辺部等に所望の大きさ、形状の一つの床暖房補助パネルが形成される。一つの床暖房設備に同時に使用される床暖房補助パネルピースセットにおいては、ジョイント３によって配管４同士が連結されたときに、基板１同士が重なったり隙間が空いたりしないように、全ての床暖房補助パネルピース１２ａ〜１２ｉの、各床暖房補助パネルピース１２ａ〜１２ｉが有する配管４の端部から基板１の端部までの長さＸと、基板１面外に突出した部分の配管４の長さＹが、等しくされる。
【００３０】
床暖房主パネルの大きさは敷設する居室床面積により異なるが、通常９０９×９０９ｍｍ〜３３３３×２４２４ｍｍの範囲である。
【００３１】
床暖房補助パネルピース１２ａ〜１２ｉは、それを敷設する床の寸法に合わせて、寸法を変えたいくつかのサイズのものを用意しておいてもよいが、床暖房補助パネルピース１２ａ〜１２ｉのサイズの種類をできるだけ少なく準備できれば工業的には好ましい。例えば、長方形状の床暖房主パネルに対して、長方形状の床暖房補助パネルピース１２ａ〜１２ｉの各辺の長さの整数倍が、床暖房主パネルの対応する各辺の長さになるようにすると、床暖房補助パネルピース１２ａ〜１２ｉ間の段差を生じることがなく、温度ムラを発生させないため好ましい。また床暖房主パネルのサイズの規格等にも使用される、建築で使用される尺（３０３ｍｍ）寸法に適応でき、床暖房パネル全体の設置および仕上げ材の施工が容易となる点においても好ましい。例えば、縦が１２１２ｍｍで横が１５１．５ｍｍの整数倍の長さである床暖房主パネルに対して、縦６０６ｍｍ、横１５１．５ｍｍの大きさの床暖房補助パネルピース１２ａ〜１２ｉを使用したり、縦が１８１８ｍｍで横が１５１．５ｍｍの整数倍の長さである床暖房主パネルに対して、縦９０９ｍｍ、横１５１．５ｍｍの大きさの床暖房補助パネルピース１２ａ〜１２ｉを使用したりすることが好ましい。
【００３２】
暖房補助パネルピースの厚さは通常、床暖房主パネルと同等の厚さで作製されるが、通常６〜５０ｍｍ、中でも９〜１５ｍｍの範囲である。
【００３３】
床暖房パネルピース１２ａ〜１２ｉの材質は、床暖房主パネルと同じであり、発泡合成樹脂製の断熱性に富んだものが好ましく、具体的には、硬質ポリウレタン発泡体、硬質ポリエチレン発泡体、硬質ポリプロピレン発泡体、ポリスチレン発泡体、硬質ポリ塩化ビニル発泡体、ポリメチルメタクリレート発泡体、ポリカーボネート発泡体、ポリフェニレンオキサイド発泡体、ポリスチレンとポリスチレン混合物の発泡体などが好適である。
【００３４】
配管４は、通常の床暖房パネルに使用される配管と同様の材質、形状のものをそのまま用いることができるが、具体的には、可撓性を有するものが好ましく、例えば架橋ポリエチレン管、ポリブテン管、銅管などが挙げられる。配管径は、床暖房補助パネルピース厚さ、設置する建造物の場所、熱媒の種類、温度などによって変わるが、通常は外径が８〜１３ｍｍ、内径が６〜１０ｍｍの管が一般的である。
【００３５】
配管４の端部に設けられるジョイント３は、熱媒が漏れない気密性に優れたものであればよく、例えば、ソケット継手が使用される。
【００３６】
図１１は、本発明の床暖房補助パネルピースセットを用いた、床暖房設備における床暖房補助パネルの敷設例である。図１１の床部は図１と同じ形状であるが、図１１では、図１で敷設されていた床暖房パネル１０を床暖房主パネル１１として、その両脇に、数種の床暖房補助パネルピースが複数連結された床暖房補助パネル２０ａ、２０ｂが敷設されている。これによって、図１で床暖房主パネル１１のみでは敷設できなかった、形状の違う左右２つの狭い床部分３０、４０も床暖房パネルで覆うことができている。床暖房補助パネル２０ａ、２０ｂの配管４端部は、床暖房パネルと熱源機との間で熱媒を運ぶ役割を有する連絡配管１４によって、床暖房補助パネル２０ａ、２０ｂの配管４の一端が熱源機に、他端が床暖房主パネル１１のヘッダー１５に繋げられており、それによって、床暖房主パネル１１を通る配管、床暖房補助パネル２０ａ、２０ｂを通る配管４、および連絡配管１４は、一本に繋がって、熱源機を介した熱媒循環系を形成している。連絡配管１４と連結される床暖房補助パネル２０ａ、２０ｂの配管４の両端は、床暖房補助パネル接続用配管ガイド１３によって、連絡配管１４と連結されている。床暖房主パネル１１の配管端部や連絡配管１４端部を床暖房補助パネルピースと連結可能な形状にすれば、床暖房補助パネルピースは、床暖房主パネル１１の配管や連絡配管１４との直接の接続も可能である。
【００３７】
なお、床暖房補助パネル同士の接続、及び床暖房主パネルと床暖房補助パネルの接続が可能であることはいうまでもない。
【００３８】
図１１に例示されるような、床暖房主パネル１１と、その周囲に配された床暖房補助パネル２０ａ、２０ｂは、通常は、下地面上に設けられ、その上一面に床表面材層が積層され、床暖房設備となる。
【００３９】
床暖房パネルが敷設される下地面としては、例えば、木造家屋の下地合板の上面、スラブ床面の上面、スラブ床面の上に敷いた下地合板の上面、あるいは、マンション等の集合住宅にあっては、コンクリートスラブ床面、コンクリートスラブ床面の上に敷いた下地合板の上面が挙げられる。
【００４０】
床表面材層は、最上層となる表装材層と、その下に配される放熱薄板を有するものである。表装材層と放熱薄板の間には、歩行感覚を向上させるために、更にクッション材層を設けても良い。
【００４１】
表装材層は、床暖房パネルを保護し、床面外観の美麗化を図る役割を有する。表装材層としては、通常は木製の合板製、発泡ゴム製で、好ましくは木製のもの、その表面に通常は天然木材板または、木目模様などの印刷模様を施したプラスチックフィルム、不織布、強化紙などを貼着するが、好ましく天然木材板、強化紙を貼着するのがよい。表装材層の厚さは、薄すぎると強度が不足して破損しやすくなり、厚すぎると配管からの熱が表装材層の表面に伝熱されなくなるので、好ましい厚さは３〜１５ｍｍの範囲である。
【００４２】
放熱薄板は、床暖房パネルに埋設された配管内を流通する、熱源機からの熱媒の熱を、表装材層の上面へ効率よく伝熱させる機能を有するものであり、金属箔が好ましく、中でも、製造の容易性、コストなどの観点からアルミニウム箔が好ましい。床暖房補助パネル２０ａ、２０ｂに放熱薄板を貼る場合、床暖房補助パネル２０ａ、２０ｂ敷設後に放熱薄板を貼ってもよいが、一片一片の床暖房補助パネルピース１２ａ〜１２ｉに予め貼っておくのが施工上好適である。
【００４３】
クッション材層は、床表面材層上での優れた歩行感覚を得る目的等から、例えば発泡樹脂性のポリウレタン発泡体、ポリオレフィン系発泡体、または、不織布を含むものが用いられる。
【００４４】
図１２は、本発明の床暖房補助パネルピースセットを用いた、床暖房設備における床暖房パネルの他の敷設例である。この敷設例においても、数種の床暖房補助パネルピースが複数連結されて、床暖房主パネル１１の両脇に床暖房補助パネル２０ｃ、２０ｄが敷設されている。床暖房補助パネル２０ｃで使用されている床暖房補助パネルピースの一部には、図８で示された床暖房補助パネルピース１２ｇと同じ固定部材６を有する床暖房補助パネルピース１２ｊが使用されている。床暖房主パネル１１の平行な二辺に沿っても固定部材１６が配置されており、これらの部分で、床暖房パネルが表面材層や下地面からずれないように固定されている。このように、固定部材６を有する床暖房補助パネルピースを部分的に用いると、床暖房設備設置現場での固定作業が容易になるので好ましい。
【００４５】
図１３は、図１１の、床暖房補助パネル部分２０ａの拡大図である。床暖房補助パネル２０ａは、３種類の床暖房補助パネルピース１２ｂ、１２ｋ、１２ｌ計６枚からなっており、個々の床暖房補助パネルピース１２ｂ、１２ｋ、１２ｌにある配管４は、ジョイント３と、ジョイント３がない配管４端部とで互いに連結され、床暖房補助パネル２０ａ全体を流通する一本の熱媒流通系を構成している。そして、床暖房補助パネル２０ａの配管４の両端は、ジョイント３で床暖房補助パネル接続用配管ガイド１３と連結されている。図１３に示されるような床暖房補助パネルピース１２ｂ、１２ｋ、１２ｌの組み合わせや配置に限らず、ジョイント３と、ジョイント３がない配管４端部とが隣接するように床暖房補助パネルピースを配置すれば、床暖房補助パネルピースを自由に組み合わせて、様々な形状や大きさに床暖房補助マットを形成することができる。
【００４６】
以上、現時点において、最も、実践的であり、かつ、好ましいと思われる実施形態に関連して本発明を説明したが、本発明は、本願明細書中に開示された実施形態に限定されるものではなく、請求の範囲および明細書全体から読み取れる発明の要旨あるいは思想に反しない範囲で適宜変更可能であり、そのような変更を伴う暖房補助パネルピースおよび暖房補助パネルピースセットもまた本発明の技術的範囲に包含されるものとして理解されなければならない。
【図面の簡単な説明】
【００４７】
【図１】従来の床暖房パネルの敷設例である。
【図２】本発明の床暖房補助パネルピースの一例をあらわす平面図である。
【図３】本発明の床暖房補助パネルピースの一例をあらわす平面図である。
【図４】本発明の床暖房補助パネルピースの一例をあらわす平面図である。
【図５】本発明の床暖房補助パネルピースの一例をあらわす平面図である。
【図６】本発明の床暖房補助パネルピースの一例をあらわす平面図である。
【図７】本発明の床暖房補助パネルピースの一例をあらわす平面図である。
【図８】本発明の床暖房補助パネルピースの一例をあらわす平面図である。
【図９】本発明の床暖房補助パネルピースセットに使用される床暖房補助パネルピースの一例をあらわす平面図である。
【図１０】本発明の床暖房補助パネルピースセットに使用される床暖房補助パネルピースの一例をあらわす平面図である。
【図１１】本発明の床暖房補助パネルピースセットを用いた床暖房補助パネルの敷設例をあらわす平面図である。
【図１２】本発明の床暖房補助パネルピースセットを用いた床暖房補助パネルの敷設例をあらわす平面図である。
【図１３】図１１の床暖房補助パネル２０ａ部分の拡大図である。
【符号の説明】
【００４８】
１  基板
２  溝
３  ジョイント
４  配管
５  スリット
６、１６  固定部材
１０  床暖房パネル
１１  床暖房主パネル
１２ａ、１２ｂ、１２ｃ、１２ｄ、１２ｅ、１２ｆ、１２ｇ、１２ｈ、１２ｉ、１２ｊ、１２ｋ、１２ｌ  床暖房補助パネルピース
１３  床暖房補助パネル接続用配管ガイド
１４  連絡配管
１５  ヘッダー
２０ａ、２０ｂ、２０ｃ、２０ｄ  床暖房補助パネル
３０、４０  床面
【図１】
2006207915.tif 000003
【図２】
2006207915.tif 000004
【図３】
2006207915.tif 000005
【図４】
2006207915.tif 000006
【図５】
2006207915.tif 000007
【図６】
2006207915.tif 000008
【図７】
2006207915.tif 000009
【図８】
2006207915.tif 000010
【図９】
2006207915.tif 000011
【図１０】
2006207915.tif 000012
【図１１】
2006207915.tif 000013
【図１２】
2006207915.tif 000014
【図１３】
2006207915.tif 000015